(57)【要約】      （修正有）【課題】表示装置又は音声装置によりフォーカス状態を知ることができるウェブカメラのフォーカス補助システムを提供する。【解決手段】ウェブカメラのフォーカス補助システムが含むビデオカメラモジュール１は、赤色及び緑色の補助フォーカス指示ランプ１１１，１１２と、補助フォーカス指示ランプと電気的に接続された補助フォーカスボタン１１３と、が配設されたイメージセンサモジュール１１と、イメージセンサモジュールと電気的に接続され、一端に警報装置１２１が電気的に接続されたマイコン制御ユニット１２と、マイコン制御ユニットと電気的に接続され、イメージセンサモジュールが画像処理を行う際に用いるコンピュータ処理ユニット１３と、コンピュータ処理ユニットと電気的に接続され、コンピュータ処理ユニットにより画像を圧縮したデータを記憶するのに用いるメモリユニット１４とを有する。【選択図】図１
0003186022.tif 000002
【実用新案登録請求の範囲】
【請求項１】
ビデオカメラモジュールを含むウェブカメラのフォーカス補助システムであって、
ビデオカメラモジュールは、
赤色及び緑色の補助フォーカス指示ランプと、補助フォーカス指示ランプと電気的に接続された補助フォーカスボタンと、が配設されたイメージセンサモジュールと、
イメージセンサモジュールと電気的に接続され、一端に警報装置が電気的に接続されたマイコン制御ユニットと、
マイコン制御ユニットと電気的に接続され、イメージセンサモジュールが画像処理を行う際に用いるコンピュータ処理ユニットと、
コンピュータ処理ユニットと電気的に接続され、コンピュータ処理ユニットにより画像を圧縮したデータを記憶するのに用いるメモリユニットと、を有することを特徴とするウェブカメラのフォーカス補助システム。
【請求項２】
イメージセンサモジュールは、ビデオカメラ本体アセンブリのレンズモジュール上に配設されることを特徴とする請求項１に記載のウェブカメラのフォーカス補助システム。
【請求項３】
マイコン制御ユニット、コンピュータ処理ユニット及びメモリユニットは、ビデオカメラ本体アセンブリの回路モジュール上に配設されることを特徴とする請求項１に記載のウェブカメラのフォーカス補助システム。
【考案の詳細な説明】
【技術分野】
【０００１】
本考案は、ウェブカメラのフォーカス補助システムに関し、特に、表示装置又は音声装置によりフォーカス状態を知ることができるシステムに関する。
【背景技術】
【０００２】
ウェブカメラは手動フォーカス及び自動フォーカスの２種類に分けられる。手動フォーカスは手動で操作する必要がある。カメラは必要に応じて高所又は特定の場所に設置することがあるため、作業員がコンピュータ又は小型のアナログスクリーンを利用しなければフォーカスが完了したか否かを確認することができず、短時間にフォーカスを正確に行うことが困難であり、多くの時間と手間がかかった。
【考案の概要】
【考案が解決しようとする課題】
【０００３】
本考案の目的は、ウェブカメラの本体に表示装置又は音声装置を組み合わせ、指示ランプ及び警報装置を含み、ユーザがフォーカスを行う過程で、焦点が合っていないときに指示ランプ又は警報装置によりユーザに知らせるウェブカメラのフォーカス補助システムを提供することにある。
【課題を解決するための手段】
【０００４】
上記課題を解決するために、本考案の第１の形態によれば、ビデオカメラモジュールを含むウェブカメラのフォーカス補助システムであって、ビデオカメラモジュールは、赤色及び緑色の補助フォーカス指示ランプと、補助フォーカス指示ランプと電気的に接続された補助フォーカスボタンと、が配設されたイメージセンサモジュールと、イメージセンサモジュールと電気的に接続され、一端に警報装置が電気的に接続されたマイコン制御ユニットと、マイコン制御ユニットと電気的に接続され、イメージセンサモジュールが画像処理を行う際に用いるコンピュータ処理ユニットと、コンピュータ処理ユニットと電気的に接続され、コンピュータ処理ユニットにより画像を圧縮したデータを記憶するのに用いるメモリユニットと、を有することを特徴とするウェブカメラのフォーカス補助システムが提供される。
【０００５】
イメージセンサモジュールは、ビデオカメラ本体アセンブリのレンズモジュール上に配設されることが好ましい。
【０００６】
マイコン制御ユニット、コンピュータ処理ユニット及びメモリユニットは、ビデオカメラ本体アセンブリの回路モジュール上に配設されることが好ましい。
【図面の簡単な説明】
【０００７】
【図１】図１は、本考案の一実施形態に係るウェブカメラのフォーカス補助システムのモジュールを簡単に示すブロック図である。
【図２】図２は、本考案の一実施形態に係るウェブカメラのフォーカス補助システムのフォーカス装置を示す斜視図である。
【図３】図３は、本考案の一実施形態に係るウェブカメラのフォーカス補助システムのフォーカス装置を示す分解斜視図である。
【図４】図４は、本考案の一実施形態に係るウェブカメラのフォーカス補助システムのフォーカス装置のレンズモジュールを示す平面図である。
【図５】図５は、本考案の一実施形態に係るウェブカメラのフォーカス補助システムの画像データの流れを示すブロック図である。
【考案を実施するための形態】
【０００８】
以下、本考案の実施形態について図に基づいて説明する。なお、これによって本考案が限定されるものではない。
【０００９】
図１を参照する。図１は、本考案の一実施形態に係るウェブカメラのフォーカス補助システムのモジュールを簡単に示すブロック図である。図１に示すように、ビデオカメラモジュール１は、少なくともイメージセンサモジュール１１、マイコン制御ユニット１２、コンピュータ処理ユニット１３及びメモリユニット１４から構成される。イメージセンサモジュール１１は、コンピュータ処理ユニット１３を利用して画像処理を行う。図３を併せて参照すると分かるように、イメージセンサモジュール１１は、ビデオカメラ本体アセンブリ２のレンズモジュール２２上に配設され、マイコン制御ユニット１２、コンピュータ処理ユニット１３及びメモリユニット１４がビデオカメラ本体アセンブリ２の回路モジュール２４上に配設させる。マイコン制御ユニット１２は、イメージセンサモジュール１１及び警報装置１２１とそれぞれ電気的に接続され、警報装置１２１又は補助フォーカス指示ランプ１１１／警報装置１２１が音声／光を出力し、コンピュータ処理ユニット１３は、それぞれマイコン制御ユニット１２及びメモリユニット１４と電気的に接続される。
【００１０】
図２及び図３を参照する。図２及び図３に示すように、ビデオカメラ本体アセンブリ２は、前カバー２１、レンズモジュール２２、本体２３、回路モジュール２４及び後カバー２５を含む。前カバー２１は、一端にカバープレート２１１が設けられ、他端に雄ねじ部２１２が設けられる。カバープレート２１１は、光線が透過する平板ガラスであり、埃などの不純物が侵入してレンズモジュール２２を汚染することを防ぐ。図５を併せて参照すると分かるように、レンズモジュール２２内部には、焦点が調整可能なレンズ２２３と、画像が感光される感光部材２２４と、が配設される。コンピュータ処理ユニット１３の一端には、信号処理装置１３１が接続され、信号処理装置１３１と感光部材２２４とが電気的に接続される。前カバー２１の内側には、３本の長尺状ねじ軸Ａがレンズモジュール２２及び回路モジュール２４に貫設され、後カバー２５の栓孔２５１内に位置決めされ、本体２３の前縁に形成された雌ねじ部２３１に前カバー２１の雄ねじ部２１２が螺合され、後カバー２５の一端がネットワークケーブル２５２に接続されてネットワークと接続される。本考案の主な特徴を以下説明する。
【００１１】
図１を参照する。図１に示すように、イメージセンサモジュール１１上には、赤色及び緑色の補助フォーカス指示ランプ１１１，１１２と、補助フォーカス指示ランプ１１１，１１２と電気的に接続された補助フォーカスボタン１１３と、が配設される。マイコン制御ユニット１２の一端には、警報装置１２１が電気的に接続される。図４を併せて参照すると分かるように、レンズモジュール２２上には、フォーカス制御杆２２１及び可変焦点距離制御杆２２２が配設されている。本考案の画像データの流れを以下説明する。
【００１２】
（１）図５を参照する。図５に示すように、感光部材２２４を介してレンズ２２３からの光線をアナログ感応電圧に変換し、回路モジュール２４の信号処理装置１３１へ供給し、信号処理装置１３１によりデジタル画像信号へ変換して画像データの統計をとった後、コンピュータ処理ユニット１３により画像を圧縮してメモリユニット１４内に記憶させる（図１参照）。
（２）コンピュータ処理ユニット１３は、画像データ統計に対してフォーカスアルゴリズムにより可変焦点距離を制御し、マイコン制御ユニット１２により音声／光効果１５を制御し、音声／光効果１５に基づいてレンズ２２３を手動で調整し、焦点を遠くに合わせたり近くに合わせたりする。
（３）レンズ２２３の可変焦点距離（Ｖａｒｉ−Ｆｏｃａｌ）制御は、ユーザが補助フォーカスボタン１１３を起動し、可変焦点距離制御杆２２２により焦点を近くに合わせたり（Ｔｅｌｅ）遠くに合わせたり（Ｗｉｄｅ）することにより、フォーカス制御杆２２１を手動で旋回させて焦点を合わせる。
（４）焦点が合わない場合、赤色の補助フォーカス指示ランプ１１１が点滅し続け、警報装置１２１が鳴り続く。
（５）焦点が完全に合うと、赤色の補助フォーカス指示ランプ１１１が消えて緑色の補助フォーカス指示ランプ１１２が点滅し続け、警報装置１２１が鳴らなくなる。
【００１３】
上述したことから分かるように、本考案のウェブカメラのフォーカス補助システムは、カメラのレンズを手動で調整する過程で、補助フォーカス指示ランプ１１１の点滅及び点灯、又は警報器が鳴らす音を頼りにユーザが焦点を調整することができるため、簡単かつ正確に焦点を合わせることができる。
【００１４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
１     ビデオカメラモジュール
２     ビデオカメラ本体アセンブリ
１１   イメージセンサモジュール
１２   マイコン制御ユニット
１３   コンピュータ処理ユニット
１４   メモリユニット
１５   音声／光効果
２１   前カバー
２２   レンズモジュール
２３   本体
２４   回路モジュール
２５   後カバー
１１１ 補助フォーカス指示ランプ
１１２ 補助フォーカス指示ランプ
１１３ 補助フォーカスボタン
１２１ 警報装置
１３１ 信号処理装置
２１１ カバープレート
２１２ 雄ねじ部
２２１ フォーカス制御杆
２２２ 可変焦点距離制御杆
２２３ レンズ
２２４ 感光部材
２３１ 雌ねじ部
２５１ 栓孔
２５２ ネットワークケーブル
Ａ     長尺状ねじ軸
【図１】
0003186022.tif 000003
【図２】
0003186022.tif 000004
【図３】
0003186022.tif 000005
【図４】
0003186022.tif 000006
【図５】
0003186022.tif 000007